(57)【要約】【課題】一人の作業者でも海苔網に付着した汚れを操作性良く、効果的に除去することが可能な海苔網洗浄機を提供する。【解決手段】操作船の甲板１上に本体フレーム２が設けられ、この本体フレーム２の上方に回転ブラシ３が配置されている。回転ブラシ３の上方には、回転ブラシ３と対向して上下可動ブラシ７が設けられている。上下可動ブラシ７を固定するブラシ固定部７ａと吊上げ用支柱８との交点には回動軸が設けられており、この回動軸によって上下可動ブラシ７は回動可能となっている。この回動の動作は、吊上げロープ１０を巻き上げることによってなされる。操作船の船体上において、海苔網が引き込まれる方向に、回転ブラシ３と手繰りドラムとが並んで配置されている。【選択図】図１
2010051215.tif 000002
【特許請求の範囲】
【請求項１】
操作船の甲板上に設けられた本体フレームの上方に回転ブラシが設けられ、前記回転ブラシに対向して上下可動ブラシが設けられ、前記回転ブラシと前記上下可動ブラシとの間に海苔網が挿入されて海苔網を洗浄する海苔網洗浄装置であって、海苔網を操作船の側方に移動させる手繰りドラムが前記回転ブラシの側方に設けられていることを特徴とする海苔網洗浄装置。
【請求項２】
前記上下可動ブラシの上端の一部に吊上げロープの一端が固定され、前記上下可動ブラシは前記吊上げロープを巻き上げることにより回動可能であることを特徴とする請求項１記載の海苔網洗浄装置。
【請求項３】
前記操作船の側方移動手段として、前記操作船の船体の舷側にサイドスラスターが設けられていることを特徴とする請求項１または２記載の海苔網洗浄装置。
【発明の詳細な説明】
【技術分野】
【０００１】
本発明は、一人の作業者でも海苔網に付着した汚れを効果的に除去することが可能な海苔網洗浄装置に関する。
【背景技術】
【０００２】
海苔の養殖は海中に展開した海苔網を用いて行われており、養殖の過程で、海水中の塵埃、微少な海棲動物、藻類の他、赤腐れ病菌などの病原菌が海苔網に付着すると、海苔の生育を阻害したり、収穫された海苔の品質を低下させたりするため、海苔網への付着物を除去することが必要となる。
【０００３】
しかし、近年海水の汚染が進行しており、海苔の生産量の減少や、品質の低下が顕著になっている。このような状況では、海苔の採取現場において海苔網に付着した汚れをどれだけ綺麗に除去できるかが重要な課題となっている。
【０００４】
このような海苔網の洗浄に関して、特許文献１には、養殖海苔に発生する病害の原因となる病原菌や雑藻を駆除する海苔養殖用殺藻殺菌処理剤とこれを用いた処理方法が開示されている。
【０００５】
また、特許文献２には、海苔網を操作船の上に引き揚げ、甲板上で海苔網に処理液を噴射して洗浄した後に、海苔網を海中に戻す操作を連続的に行うことを可能にした海苔網の洗浄装置が開示されている。また、特許文献３には、海苔網を海面下で動揺または振動させて、海苔網に付着した異物を分離する技術が開示されている。
【０００６】
しかし、特許文献１、特許文献２に記載された方法では、付着物を完全に除去することが難しく、特別な処理剤を用いているために廃液処理が必要となる。また、特許文献３に記載された方法では、海苔網の動揺または振動によって付着物を除去するものであることから、確実に付着物を除去することは難しい。
【０００７】
特許文献４には、海苔網に付着した汚れを、回転ブラシを用いて除去する装置が開示されている。この装置は、固定ブラシと回転ブラシを利用して、効果的に海苔網に付着した汚れを除去するものであるが、特許文献１、特許文献２、特許文献３に記載されたものと比較して、回転ブラシによる機械的操作により付着物を除去するものであるため、付着物を確実に除去できるという利点がある。
【０００８】
しかし、固定ブラシと回転ブラシとの間に海苔網を引き込むために、複数の作業者が必要であり、海苔の収穫作業は、狭い船の上で行われるため、複数の作業者を必要とすると、作業スペースの確保が困難であり、作業効率が低下するという問題点がある。また近年、海苔網は大型化しており、海苔網の操作が難しくなってきていることから、一人の作業者でも操作性良く洗浄作業を行うことが可能な洗浄装置が求められている。
【０００９】
【特許文献１】特開２００７−０５５９４７号公報
【特許文献２】特開２００３−２７４７７６号公報
【特許文献３】特開２０００−０２３５３５号公報
【特許文献４】実公昭５１−１８３０７号公報
【発明の開示】
【発明が解決しようとする課題】
【００１０】
本発明は、このような事情を考慮してなされたもので、一人の作業者でも海苔網に付着した汚れを操作性良く、効果的に除去することが可能な海苔網洗浄機を提供することを目的とする。
【課題を解決するための手段】
【００１１】
以上の課題を解決するために、本発明の海苔網洗浄装置は、操作船の甲板上に設けられた本体フレームの上方に回転ブラシが設けられ、前記回転ブラシに対向して上下可動ブラシが設けられ、前記回転ブラシと前記上下可動ブラシとの間に海苔網が挿入されて海苔網を洗浄する海苔網洗浄装置であって、海苔網を操作船の側方に移動させる手繰りドラムが前記回転ブラシの側方に設けられていることを特徴とする。
【００１２】
回転ブラシと上下可動ブラシとの間に海苔網が挿入されて海苔網を洗浄するものであるため、海苔網に処理液を吹き付けて洗浄するものや、海中において海苔網を振動させて洗浄するものと比較して洗浄を確実に行うことができる。そのため、海苔生産の障害となる微少な海棲動物、藻類、赤腐れ病菌などを確実に除去することができ、海苔の品質向上、生産量の増加に大きく寄与するとともに、特別な処理液を用いないため、環境へ悪影響を及ぼすことがない。
【００１３】
また、海苔網を操作船の側方に移動させる手繰りドラムが設けられているため、回転ブラシと上下可動ブラシとの間に海苔網を移動させて挿入することが容易であり、一人の作業者でも効率的に洗浄作業を行うことができる。
【００１４】
本発明においては、前記上下可動ブラシの上端の一部に吊上げロープの一端が固定され、前記上下可動ブラシは前記吊上げロープを巻き上げることにより回動可能とすることができる。
【００１５】
上下可動ブラシをこのような構成とすることにより、上下可動ブラシを上方に吊り上げて、回転ブラシと上下可動ブラシとの間隔を広げることができる。そのため、洗浄作業の開始時または終了時に、海苔網の出し入れを容易に行うことができる。この操作は、吊上げロープを巻き上げることで実現できるため、作業者が一人であっても充分に行うことができる。
【００１６】
本発明においては、前記操作船の側方移動手段として、前記操作船の船体の舷側にサイドスラスターが設けられていることが好ましい。
操作船の船体の舷側にサイドスラスターが設けられているため、操作船を通常の進行方向に対して垂直な方向に移動させることができる。近年海苔網は大型化しており、海苔網は海面近くに固定して設置されているため、海苔網自体を移動させるのは困難な状況となっているが、サイドスラスターにより、操作船を通常の進行方向に対して垂直な方向に移動させると、海苔網を固定したままで、海苔網を回転ブラシと上下可動ブラシとの間に通して洗浄することができ、洗浄作業の効率化が図られる。
【発明の効果】
【００１７】
本発明によると、一人の作業者でも海苔網に付着した汚れを操作性良く、効果的に除去することが可能な海苔網洗浄機を実現することができる。
【発明を実施するための最良の形態】
【００１８】
以下に、本発明をその実施形態に基づいて説明する。
図１に、本発明の実施形態に係る海苔網洗浄装置の構成を示す。ただし、後述する手繰りドラムはここでは省略している。
図１において、操作船の甲板１上に本体フレーム２が設けられ、この本体フレーム２の上方に回転ブラシ３が配置されている。回転ブラシ３は、針金を撚り合わせた棒状の芯材に、高分子材料からなる刷毛を設けたものを複数配列して形成することができ、図示しないプーリーを介して、本体フレーム２付近に設置された駆動部４から伝達された動力により、操作船の長手方向に平行に設けられた回転軸を中心として回転するものである。本体フレーム２には散水ポンプ５と散水管６とが設けられている。この散水ポンプ５と散水管６とにより、海苔網の洗浄作業において、回転ブラシ３と後述する上下可動ブラシ７とに付着した汚れは、海水を散水して洗い流すことにより除去される。
【００１９】
回転ブラシ３の上方には、回転ブラシ３と対向して上下可動ブラシ７が設けられており、この上下可動ブラシ７は、木材や鋼材からなる芯材に対して、回転ブラシ３と対向する側に、高分子材料からなる刷毛を設けたものを複数配列して形成されている。
【００２０】
上下可動ブラシ７を固定するブラシ固定部７ａと吊上げ用支柱８との交点には図示しない回動軸が設けられており、この回動軸によって上下可動ブラシ７は回動可能となっている。この回動の動作は、吊上げロープ１０を巻き上げることによってなされる。この吊上げロープ１０は、その一端が上下可動ブラシ７のブラシ固定部７ａの上端の一部に固定されており、吊上げ支持アーム９の先端と吊上げ用支柱８の上端とを通って、その他端が吊上げ用支柱８の途中に固定されている。吊上げ用支柱８の上端と吊上げ支持アーム９の先端とは支持ワイヤ１１で連結されている。
【００２１】
図２に、本発明の実施形態に係る海苔網洗浄装置を用いて海苔網を洗浄する様子を示す。
図２に示すように、操作船の船体１５上において、海苔網１４が引き込まれる方向に、回転ブラシ３と手繰りドラム１３とが並んで配置されている。手繰りドラム１３が配置されていることにより、回転ブラシ３と上下可動ブラシ７との間に海苔網１４を挿入させて洗浄する際に、海苔網１４の送りを容易に行うことができる。
【００２２】
回転ブラシ３と上下可動ブラシ７との間に海苔網１４を挿入させて擦って洗浄することにより、有害な付着物を除去できるばかりでなく、海苔網１４に付着して成長しつつある海苔の一部を除去してしまう可能性はあるが、海苔芽に対して自然での生育環境において与えられる刺激に類似する刺激を与えることができ、二次芽、三次芽の生育を促進することができる。そのため、海苔芽を丈夫に成長させる効果が得られ、海苔の一部を損傷する弊害を遙かに上回る効果を得ることができる。
【００２３】
図３に、本発明の実施形態に係る海苔網洗浄装置の作業中の稼動状態を示す。図３（ａ）は平面図、図３（ｂ）はその側面図、図３（ｃ）は船尾側から見た図である。
図３（ａ）に示すように、操作船の船体１５の長手方向に垂直な方向に、回転ブラシ３と手繰りドラム１３とが並んで配置されており、船体１５の舷側にはサイドスラスター１６が設けられている。サイドスラスター１６として船外発動機を用いても良く、あるいはスクリューのような推進装置を用いても良い。コストの点からは船外発動機を用いるのが好ましい。船体１５の船尾側にはブリッジ１７が設けられている。
【００２４】
回転ブラシ３の軸と上下可動ブラシ７の軸は、操作船の長手方向に平行に設けられているため、船体１５がサイドスラスター１６により矢印の方向に移動すると、海面近くに固定されている海苔網１４は、回転ブラシ３とその上方に位置する上下可動ブラシ７との間を通過して洗浄される。サイドスラスター１６を設ける位置は、操作船を移動させる方向に応じて、操作船の船体１５のいずれかの側が選択される。
【００２５】
上下可動ブラシ７は、図３（ｂ）に示すように、洗浄作業の開始時または終了時には、上方に吊り上げられる。これにより、海苔網１４の出し入れを容易に行うことができる。
このように、海苔網１４の洗浄作業と、上下可動ブラシ７の操作は、作業者１８が一人のみで行うことができ、省力化に大いに寄与する。
【００２６】
図３（ｂ）においては、吊上げ用支柱８は船尾側に設置されているが、海苔養殖場の条件によっては、船尾側で洗浄作業をすることがあり、その場合には、吊上げ用支柱８を船首側に設置して、船体１５上に装置全体を反転させて設けることができる。
【産業上の利用可能性】
【００２７】
本発明は、一人の作業者でも海苔網に付着した汚れを操作性良く、効果的に除去することが可能な海苔網洗浄機として利用することができる。
【図面の簡単な説明】
【００２８】
【図１】本発明の実施形態に係る海苔網洗浄装置の構成を示す図である。
【図２】本発明の実施形態に係る海苔網洗浄装置を用いて海苔網を洗浄する様子を示す図である。
【図３】本発明の実施形態に係る海苔網洗浄装置の作業中の稼動状態を示す図である。
【符号の説明】
【００２９】
１  甲板
２  本体フレーム
３  回転ブラシ
４  駆動部
５  散水ポンプ
６  散水管
７  上下可動ブラシ
７ａ  ブラシ固定部
８  吊上げ用支柱
９  吊上げ支持アーム
１０  吊上げロープ
１１  支持ワイヤ
１３  手繰りドラム
１４  海苔網
１５  船体
１６  サイドスラスター
１７  ブリッジ
１８  作業者
【図１】
2010051215.tif 000003
【図２】
2010051215.tif 000004
【図３】
2010051215.tif 000005